(57)【要約】【課題】表示器が収納され防水性を要するケース部材の前方側に装飾部材を容易に着脱可能に装着することができる表示装置を提供する。【解決手段】ケース部材３と、このケース部材３の前方側に装着される装飾部材４と、ケース部材３内に収納される液晶表示器１とを備えた表示装置であって、ケース部材３が透視板２４と、この透視板２４を囲む枠体２５と、この枠体２５および透視板２４と一体成形されるケース部２６とで構成され、枠体２５には透視板２４の前方側に突出する突出部２７を設けると共に、透視板２４の平面方向に沿う凹部２８を突出部２７に設け、装飾部材４には凹部２８に係合する凸部２９を設け、この凸部２９を凹部２８に挿脱可能とした。【選択図】図２
2006098149.tif 000002
【特許請求の範囲】
【請求項１】
ケース部材と、このケース部材の前方側に装着される装飾部材と、前記ケース部材内に収納される表示器とを備えた表示装置であって、前記ケース部材が透視板と、この透視板を囲む枠体と、この枠体および前記透視板と一体成形されるケース部とで構成され、前記枠体には前記透視板の前方側に突出する突出部を設けると共に、前記透視板の平面方向に沿う凹部または穴部を前記突出部に設け、前記装飾部材には前記凹部または前記穴部に係合する凸部を設け、この凸部を前記凹部または前記穴部に挿脱可能としたことを特徴とする表示装置。
【請求項２】
前記凹部または前記穴部が前記透視板の近傍に位置することを特徴とする請求項１に記載の表示装置。
【請求項３】
前記凹部または前記穴部が前記装飾部材によって覆われていることを特徴とする請求項１または請求項２に記載の表示装置。
【発明の詳細な説明】
【技術分野】
【０００１】
本発明は、表示器が収納されるケース部材の前方側に装飾部材を装着した表示装置に関するものである。
【背景技術】
【０００２】
表示装置を構成するケースや透視板などの前方側に意匠的変化を与える装飾部材などを装着したものとして、例えば下記特許文献１や特許文献２がある。特許文献１に記載の計器装置（表示装置）は、図２に示されている様に透光性全面板４（透視板）の表面側に計器外郭線５（装飾部材）を印刷やリング貼付したものである。あるいは、同図５に示されている様に、計器外郭線５を透光性板４３と一体成形したものである。また、特許文献２に記載の指針式計器（表示装置）は、見返しパネル６の前方側に配置される透視パネル７（透視板）の周縁前方側に化粧部材８（装飾部材）を接着固定したものである。
【特許文献１】特開平９−６８４４１号公報
【特許文献２】特開２００３−１９４５８９号公報
【発明の開示】
【発明が解決しようとする課題】
【０００３】
しかしながら、上記各特許文献に記載されている計器外郭線５や化粧部材８は透光性前面板４や透視パネル７に固着されているものであり、計器外郭線５や化粧部材８のみを別種類のものと交換したいという要望が有っても困難である。
【０００４】
そこで、容易に交換可能とするために、例えば透光性前面板４や透視パネル７（特許文献２に於いては見返しパネル６であっても良い）に孔を設けると共に計器外郭線５や化粧部材８に係止部を設けて、計器外郭線５や化粧部材８を透光性前面板４や透視パネル７（あるいは見返しパネル６）に所謂フック止めする方法が考えられるが、例えば二輪車や農業機械など屋外で使用される表示装置に用いられる場合には防水性が必要であり、防水性を考慮した（孔を塞ぐ）取り付けとするには構造が複雑となってしまう。
【０００５】
この点を改善するために、例えば図５に示す様に、射出成形型を用いて透視板ａの周囲にリング状の突部ｂを設けた黒色の合成樹脂からなるケースｃを射出成型して一体成形したケース部材ｄを形成すると共に、突部ｂの複数箇所に窪み部ｅを形成し、この窪み部ｅに入り込む突起ｆを設けたリング状の装飾部材ｇを突部ｂの先端方向から押し込んで取り付け、取り外す場合は少し力を加えて装飾部材ｇを上方に引っ張るようにすれば窪み部ｅに入った突起ｆが外れる、という方法が考えられる。この様に構成することによってケース部材ｄを防水性のあるものとし、装飾部材ｇも容易に取り付けたり、取り外したりすることができるというものである。
【０００６】
しかし、突部ｂに窪み部ｅを形成するには射出成型する際にスライド型を用いなければならないが、窪み部ｅが透視板ａの表面と直交する方向に僅かしか離れていないために、透視板ａが障害となってスライド型が使えない。つまり、窪み部ｅが形成できないという問題がある。スライド型が使えるように窪み部ｅを透視板ａの表面から離した位置に設ければよいが、装飾部材ｇ（突部ｂ）が透視板ａの表面から大きく出っ張ってしまう。
【０００７】
本発明はこの様な点に鑑みなされたもので、表示器が収納され防水性を要するケース部材の前方側に装飾部材を容易に着脱可能に装着することができる表示装置を提供することを目的とする。
【課題を解決するための手段】
【０００８】
本発明は前記目的を達成するため、ケース部材と、このケース部材の前方側に装着される装飾部材と、前記ケース部材内に収納される表示器とを備えた表示装置であって、前記ケース部材が透視板と、この透視板を囲む枠体と、この枠体および前記透視板と一体成形されるケース部とで構成され、前記枠体には前記透視板の前方側に突出する突出部を設けると共に、前記透視板の平面方向に沿う凹部または穴部を前記突出部に設け、前記装飾部材には前記凹部または前記穴部に係合する凸部を設け、この凸部を前記凹部または前記穴部に挿脱可能としたものである。
【０００９】
また、前記凹部または前記穴部が前記透視板の近傍に位置するものである。
【００１０】
また、前記凹部または前記穴部が前記装飾部材によって覆われているものである。
【発明の効果】
【００１１】
表示器が収納され防水性を要するケース部材の前方側に装飾部材を容易に着脱可能に装着することができる表示装置が得られる。
【発明を実施するための最良の形態】
【００１２】
車両用の表示装置を実施形態として説明する。図１は本発明の第１実施形態を示す表示装置の正面図である。図２および図３は表示装置の断面図であり、それぞれ図１に於けるＡ−Ａ断面，Ｂ−Ｂ断面を示す。
【００１３】
表示装置は、表示器としての液晶表示器１および回転計２と、液晶表示器１および回転計２が収納されるケース部材３と、ケース部材３の前方側に配置される装飾部材４と、液晶表示器１および回転計２の周囲や裏面側を覆う合成樹脂製のカバー５を備えている。
【００１４】
液晶表示器１は、例えば車両の速度や走行距離が表示される液晶表示素子６と、この液晶表示素子６の裏面側に配置され光透過性を有する拡散板７と、液晶表示素子６および拡散板７が保持されるホルダー８と、液晶表示素子６の背後に配置され液晶表示素子６と電気的に接続された硬質の回路基板９と、この回路基板９上に実装され液晶表示素子６を背後から照明する光源としての発光ダイオード１０や液晶表示素子６を駆動させる電子部品などを備えている。
【００１５】
回転計２は、回動軸１１を有する表示器本体１２と、この表示器本体１２が導通状態で装着された硬質の回路基板９と、回動軸１１の先端側に固着された指示部１３を有する指針１４と、指示部１３の後方に配置されエンジンの回転数を現す目盛や数字などの表示部（図示せず）を設けた表示板１５と、表示板１５の裏面側に配置された導光部材１６と、回路基板９上に実装され導光部材１６内に光を入射する光源としての回転計用発光ダイオード１７や回転計２を駆動させる電子部品などを備えている。なお、回転計２用の回路基板９と液晶表示器１用の回路基板９は一体となっている。
【００１６】
ホルダー８は白色の合成樹脂からなり、周壁１８と、液晶表示素子１および拡散板７が載置されて固着される載置部１９と、この載置部１９から発光ダイオード１０側に向かって延びる反射壁２０を有している。この反射壁２０は発光ダイオード１０からの光を反射させて拡散板７側に導くものであり、発光ダイオード１０が点灯すると、拡散板７を直射する光が多いが、反射壁２０に反射して拡散板７側に導かれる光もあり、これらの光が拡散板７で拡散されて、液晶表示部（図示せず）を除いた液晶表示素子１面がほぼ均一に透過照明されるようになっている。
【００１７】
液晶表示素子１が固着されたホルダー８は回路基板９にビス２１によってねじ止め固定される。なお、周壁１８の下端側（回路基板９側）に係止部を設けてホルダー８を回路基板９に所謂フック止めするようにしても良い。また、図示しないが液晶表示素子１と回路基板９とは、金属製の端子やラバーコネクタあるいはフレキシブルプリント板などによって電気的に接続されている。
【００１８】
導光部材１６は無色透明な合成樹脂からなり、表示板１５とほぼ同径の平板部２２と、回転計用発光ダイオード１７からの光を平板部２２内に入射させる（導く）ための受光部２３が設けてある。そして、夜間など周囲が暗い時に、例えば赤色で発光する回転計用発光ダイオード１７を点灯させると、平板部２２に導かれた光で指針１４の指示部１３が赤色で光輝するようになっている。また、平板部２２内を伝わる光が表示板１５の裏面側に出射して、その光によって表示板１５の表示部が赤色で透過照明されるようになっている。なお、図示しないが導光部材１６は回路基板９にビスによってねじ止め固定されている。
【００１９】
ケース部材３は、光透過性である例えば無色透明な合成樹脂からなる液晶表示器１用の透視板２４と、回転計２用の透視板２４Ａと、透視板２４，２４Ａを囲む例えば黒色の合成樹脂からなる枠体２５と、透視板２４，２４Ａおよび枠体２５と一体形成される例えば黒色の合成樹脂からなるケース部２６とからなる。なお、本実施形態の場合、枠体２５は液晶表示素子１や表示板１５の周囲を覆い隠すようにしてある。
【００２０】
ケース部材３の形成方法は、先ず透視板２４，２４Ａと枠体２５を個々に射出成型する。次に透視板２４，２４Ａと枠体２５を射出成型金型にセットした後、ケース部２６となる黒色の合成樹脂を射出して、透視板２４，２４Ａ，枠体２５，ケース部２６とが一体となったケース部材３を得るものである。この様に、一体形成することによってケース部材３は防水性を有する。なお、液晶表示器１用の透視板２４と回転計２用の透視板２４Ａとの間に位置する枠体２５には、透視板２４の前方側に突出する突出部２７を設け、突出部２７の一箇所に凹部２８が設けてある。この凹部２８は枠体２５の単品状態で設けられるもので、透視板２４の平面方向に沿い液晶表示器１側が開口する断面コ字形の溝としてあり、透視板２４の近傍、すなわち透視板２４の表面に近い位置（透視板２４の表面と直交する方向に僅かしか離れていない位置）に設けてある。
【００２１】
装飾部材４は、表示装置に装飾性を持たせたり、一部を際立てたりするためにケース部材３の前方側に装着されるものであり、本実施形態に於いては、液晶表示器１用の透視板２４を囲む枠体２５の前方側に装着してある。この装飾部材４は合成樹脂からなり、表面にはメタリック調の金色塗装が施してある。また、枠体２５に設けられている凹部２８に対応する装飾部材４箇所には、凹部２８に係合する凸部２９が設けてある。
【００２２】
装飾部材４をケース部材３に装着するには以下の様にする。枠体２５の凹部２８に装飾部材４の凸部２９を図２に於ける右方向より挿入する。また、凸部２９を設けた箇所とは反対側の装飾部材４箇所にはボス部３０を設け、このボス部３０をケース部２６の取付部３１にビス２１Ａを用いて固定する。凸部２９は凹部２８内で動かないようになっている。
【００２３】
この様に、本実施形態の場合は装飾部材４の一箇所に設けた凸部２９を枠体２５の凹部２８に挿入し、他箇所をケース部２６にビス止めすることによってケース部材３に装着するものである。なお、凸部２９は凹部２８内に挿入したり、外したりすること、即ち挿脱可能となっており、装飾部材４を取り外すには、ビス２１Ａを外して凹部２８内から装飾部材４の凸部２９を抜くようにすれば良い。また、各部品の寸法バラツキによって装飾部材４がガタつく虞がある場合は、装飾部材４と枠体２５あるいはケース部２６との間に弾性ゴムなどを介在させても良い。
【００２４】
この様に、ケース部材３が透視板２４，２４Ａと枠体２５とケース部２６との一体成形からなるため、防水性のあるケース部材３が得られる。そして、ケース部材３を構成する枠体２５に凹部２８を設け、この凹部２８内に装飾部材４に設けた凸部２９を挿脱可能としたことによって、液晶表示器１（表示器）が収納され防水性を要するケース部材３の前方側に装飾部材４を容易に取り付けたり、外したりすることができる。
【００２５】
また、透視板２４と枠体２５を個々に射出成型した後、ケース部２６となる黒色の合成樹脂を射出してケース部材３を形成するものであるため、単品状態で枠体２５に凹部２８を設けることができるから、凹部２８を透視板２４の近傍、すなわち透視板２４の表面に近い位置に設けることができる。つまり、装飾部材４を殊更大きく（高く）しないで済む。また、枠体２５の凹部２８が装飾部材４によって覆われているため、凹部２８があってもデザイン性を損なうことがない。
【００２６】
図４は、本発明の第２実施例を示す表示装置の断面図である。なお、前記第１実施形態と同一または相当箇所に関する詳細説明は省略する。
【００２７】
本実施形態に於ける表示装置は、表示器としての速度計３２と、この速度計３２が収納されるケース部材３Ａと、ケース部材３Ａの前方側に配置される装飾部材４Ａと、速度計３２の周囲や裏面側を覆う合成樹脂製のカバー５Ａを備えている。
【００２８】
速度計３２は、回動軸１１Ａを有する速度計用の表示器本体１２Ａと、この表示器本体１２Ａが導通状態で装着された硬質の回路基板９Ａと、回動軸１１Ａの先端側に固着された指示部１３Ａを有する指針１４Ａと、指示部１３Ａの後方に配置され車両の速度を現す目盛や数字などの表示部（図示せず）を設けた表示板１５Ａと、表示板１５Ａの裏面側に配置された導光部材１６Ａと、回路基板９Ａ上に実装され導光部材１６Ａ内に光を入射する光源としての速度計用発光ダイオード３３や速度計３２を駆動させる電子部品などを備えている。
【００２９】
ケース部材３Ａは、光透過性である例えば無色透明な合成樹脂からなる速度計３２用の透視板２４Ｂと、透視板２４Ｂを囲む例えば黒色の合成樹脂からなる枠体２５Ａと、透視板２４Ｂおよび枠体２５Ａと一体形成される例えば黒色の合成樹脂からなるケース部２６Ａとからなる。
【００３０】
ケース部材３Ａの形成方法は、先ず透視板２４Ｂと枠体２５Ａを個々に射出成型する。次に透視板２４Ｂと枠体２５Ａを射出成型金型にセットした後、ケース部２６Ａとなる黒色の合成樹脂を射出して、透視板２４Ｂ，枠体２５Ａ，ケース部２６Ａとが一体となったケース部材３Ａを得るものである。この様に、一体形成することによってケース部材３Ａは防水性を有する。なお、枠体２５Ａの周囲３箇所に突出部２７Ａを設けるとともに、この突出部２７Ａに凹部２８Ａが設けてある。この凹部２８Ａは枠体２５Ａの単品状態で設けられるもので、前記第１実施形態と同様に、透視板２４Ｂの平面方向に沿っており、透視板２４Ｂの近傍、すなわち透視板２４Ｂの表面に近い位置に設けてある。
【００３１】
装飾部材４Ａはクロムメッキを施した合成樹脂からなり、速度計３２用の透視板２４Ｂを囲む枠体２５Ａの突出部２７Ａに装着される。また、枠体２５Ａに設けられている凹部２８Ａに対応する装飾部材４Ａ箇所には、凹部２８Ａに係合する凸部２９Ａが設けてある。装飾部材４Ａは、透視板２４Ｂの前方側から凸部２９Ａの位置と凹部２８Ａの位置が合うようにして押し込むと、凸部２９Ａが設けてある装飾部材４Ａ箇所が中心側に少し撓みながら下方に移動し、凸部２９Ａが突出部２７Ａの凹部２８Ａ内に挿入されて装飾部材４Ａが突出部２７Ａ（ケース部材３Ａ）に取り付けられる。
【００３２】
この様に、ケース部材３Ａが透視板２４Ｂと枠体２５Ａとケース部２６Ａとの一体成形からなるため、防水性のあるケース部材３Ａが得られる。そして、ケース部材３Ａを構成する枠体２５Ａの突出部２７Ａに凹部２８Ａを設け、この凹部２８Ａ内に装飾部材４に設けた凸部２９Ａを挿脱可能としたことによって、前記第１実施形態と同様な効果が得られる。
【００３３】
なお、前記第１実施形態に於いて、装飾部材４の一端に凸部２９（凹部２８）を設け、他端はビス止めとしたが、２箇所共凸部２９（凹部２８）を設けても良い。また、液晶表示器１と回転計２とでは透視板２４，２４Ａの前後方向の位置を異ならせているが同一としても良く、回転計２側にも装飾部材を装着するようにしても良い。また、前記各実施形態に於いては枠体に凹部を形成したが、貫通した穴部として、穴部が塞がるような装飾部材形状としても良い（特に、第２実施形態に於いては）。
【図面の簡単な説明】
【００３４】
【図１】本発明の第１実施形態を示す表示装置の正面図。
【図２】同表示装置の断面図（図１に於けるＡ−Ａ断面）。
【図３】同表示装置の断面図（図１に於けるＢ−Ｂ断面）。
【図４】本発明の第２実施形態を示す表示装置の断面図。
【図５】従来例を示す装飾部材を装着したケース部材の部分断面図。
【符号の説明】
【００３５】
１  液晶表示器（表示器）
２  回転計（表示器）
３，３Ａ  ケース部材
４，４Ａ  装飾部材
２４，２４Ａ、２４Ｂ  透視板
２５，２５Ａ  枠体
２６，２６Ａ  ケース部
２７，２７Ａ  突出部
２８，２８Ａ  凹部
２９，２９Ａ  凸部
３２  速度計（表示器）
【図１】
2006098149.tif 000003
【図２】
2006098149.tif 000004
【図３】
2006098149.tif 000005
【図４】
2006098149.tif 000006
【図５】
2006098149.tif 000007